(57)【要約】     【課題】収容された商品を視認し易い前方面を有する包装用容器において、上下に積み重ねた際に、前方面の視認性を損なうことなく、かつ、包装用容器が前後および左右にずれない構造のものが望まれていた。    【解決手段】包装用容器２０は、本体２１および蓋２２を有する。蓋２２には、前方から後方に向かって斜め上方へ凸湾曲した凸湾曲面２７を有する。凸湾曲面２７は、内容物の視認性に優れている。蓋２２には、後方左右両側角に、凹部３４ａ，３４ｂが形成されている。凹部３４ａ，３４ｂ内には、斜めに延びる凸条３８ａ，３８ｂが形成されている。本体２１の後脚２５ａ，２５ｂは、凹部３４ａ，３４ｂに嵌まり込むことができ、かつ、その底面には凸条３８ａ，３８ｂと嵌合する凹溝４４ａ，４４ｂが形成されている。【選択図】            図６
2007039035.tif 000002
【特許請求の範囲】
【請求項１】
樹脂シートによって成形された包装用容器であって、上面に開口を有する本体と、この開口を覆う蓋とを備え、前および後ろが予め決められている前後に方向性のある包装用容器において、
前記本体は、上縁に沿って前記開口が設けられており、後方の少なくとも左右両側には、下方へ膨出した後脚が設けられており、
前記蓋は、前方から後方に向かって斜め上方へ凸湾曲した面を有し、後方の左右両側には、当該包装用容器が積み重ねられた際に、上の容器が前方および左右へずれるのを防止するために、前記本体の後脚を受け止めるための凹部が左右対称に形成されており、前記凹部内には、上の容器が後方へずれるのを防止するために、左右対称に、後方に向かって、両側へ広がるように、左は左方へ、右は右方へ斜めに延びる凸条が形成されており、
前記本体の後脚下面には、前記凸条と係合する凹溝が形成されていることを特徴とする、包装用容器。
【請求項２】
前記本体は、前から後ろへ向かって斜め上方に傾斜した底面を有することを特徴とする、請求項１記載の包装用容器。
【発明の詳細な説明】
【技術分野】
【０００１】
この発明は、樹脂シートにより成形される包装用容器に関する。
【背景技術】
【０００２】
販売する食品を収容する包装用容器として、樹脂シートで成形されたものが広く用いられている。そして近年、スーパー等で販売される刺身、寿司、精肉、惣菜等を収容する包装用容器は、陳列した際に、前面から中身がよく見えるように、前および後ろが予め決められている前後に方向性のあるものが多く使用されている。
また、スーパー等では、客の多い時間帯には、商品を収容した包装用容器が２段、３段と積み上げられて陳列され、販売されることが通常行われている。商品が収容された包装用容器が積み上げられ、多数整列すると見栄えも良く、前述した前後に方向性のある包装用容器の場合は、中身の視認性が良いため、さらに商品の購買意欲を誘うことになる。
【０００３】
ところが、積み上げられた包装用容器の一部がずれる、崩れるという事態が生じた場合、売り場の見栄えを台無しにする。また、収容した商品の価値を損なうこともある。よって、売り上げに大きな悪影響を及ぼすことになる。
そこで、商品を収容した包装用容器を積み上げたとき、積み上げた包装用容器が前後および左右にずれないように工夫された包装用容器が望まれる。
【特許文献１】実公昭４０−３１５８８号公報  特許文献１には、合成樹脂製の瓶函において、積み重ねたときに瓶函同士がずれるのを防止するために、対角線上に隆起条を対向するように形成することが開示されている。
【発明の開示】
【発明が解決しようとする課題】
【０００４】
この発明は、上述の背景のもとになされたもので、商品を収容して積み上げられる包装用容器において、前後および左右にずれない係止構造を備えた包装用容器を提供することを主たる目的とする。
この発明の他の目的は、収容された商品を視認し易い前方面を有する包装用容器において、上下に積み重ねた際に、前方面の視認性を損なうことなく、かつ、包装用容器が前後および左右にずれない構造の包装用容器を提供することである。
【課題を解決するための手段】
【０００５】
請求項１記載の発明は、樹脂シートによって成形された包装用容器であって、上面に開口を有する本体と、この開口を覆う蓋とを備え、前および後ろが予め決められている前後に方向性のある包装用容器において、前記本体は、上縁に沿って前記開口が設けられており、後方の少なくとも左右両側には、下方へ膨出した後脚が設けられており、前記蓋は、前方から後方に向かって斜め上方へ凸湾曲した面を有し、後方の左右両側には、当該包装用容器が積み重ねられた際に、上の容器が前方および左右へずれるのを防止するために、前記本体の後脚を受け止めるための凹部が左右対称に形成されており、前記凹部内には、上の容器が後方へずれるのを防止するために、左右対称に、後方に向かって、両側へ広がるように、左は左方へ、右は右方へ斜めに延びる凸条が形成されており、前記本体の後脚下面には、前記凸条と係合する凹溝が形成されていることを特徴とする、包装用容器である。
【０００６】
請求項２記載の発明は、前記本体は、前から後ろへ向かって斜め上方に傾斜した底面を有することを特徴とする、請求項１記載の包装用容器である。
【発明の効果】
【０００７】
請求項１の発明によれば、包装用容器が積み上げられた際には、下の蓋の後方の左右両側に形成された凹部と、上の本体の後脚とが係合する。蓋の左右両側に形成された凹部のうち右側の凹部は、左側壁および前側壁を有し、本体の後脚（右後脚）が左方および前方へずれるのを阻止する。また、左側の凹部は、右側壁および前側壁を有し、本体の後脚（左後脚）が右方および前方へずれるのを阻止する。このように、凹部により本体が左右および前方にずれるのが阻止される。
【０００８】
一方、包装用容器の後方へのずれは、凹部によっては阻止できない。なぜなら、凹部の後方側には、後ろ側壁がないからである。
そこでこの発明では、凹部内に、より具体的には凹部の底面に、左右対称に、後方に向かって両側へ広がるように、左は左方へ、右は右方へ、斜めに延びる凸条を形成した。また、本体の後脚下面に、凹部の凸条と係合する凹溝を形成した。凹部の凸条と後脚の凹溝とが係合すると、凸条が斜めに延びていることから、凹部内で後脚が後方へずれることが阻止される。
【０００９】
従って、凹部により、積み上げられた包装用容器は、左右および前方へずれるのが阻止され、かつ、凸条により後方へずれるのが阻止される。よって、積み上げられた包装用容器はずれることがなく、崩れる心配がなくなる。
しかもこの発明では、蓋には、前方から後方に向かって斜め上方へ凸湾曲した、収容物（商品）を視認し易い面が形成されている。この発明では、この湾曲面の視認性を損なうことなく、包装用容器が積み上げられた際の、容器間のずれ、特に上の容器が後方へずれることを防止することができる。
【００１０】
請求項２記載の発明では、本体底面は、前から後ろへ向かって斜め上方に傾斜した傾斜面を有するから、この上に載せられた商品は、前から見易く、上記前方から後方に向かって斜め上方へ凸湾曲した蓋の面と相挨って、収容された商品の視認性がより向上するという効果を奏する。
【発明を実施するための最良の形態】
【００１１】
この発明の実施形態の説明に先立ち、出願人が試作または既製造した包装用容器を、先行例としてまず説明する。
［先行例１］
図１および図２は、先行例１に係る包装用容器の斜視図および積み上げ状態を示す右側面図である。先行例１に係る包装用容器１は、本体２および蓋３を有する。本体２の底面１１前方には、左右方向に延びる前脚４が形成され、底面１１後方には、左右に、後脚５ａ，５ｂが形成されている。前脚４および後脚５ａ，５ｂは、いずれも、本体２の底面１１が、下方に膨出されて形成されている。
【００１２】
蓋３は、上面６および前面７を含み、上面６と前面７との間は左右方向に延びる角張ったコーナー８でつながっている。前面７は前方から後方に向かって斜め上方へ傾斜した傾斜平面で、前面７を通して収容された内容物が視認し易いようにされている。上面６の後方左右両側角には、本体２に設けられた後脚５ａ，５ｂを受け入れるための凹部９ａ，９ｂが形成されている。凹部９ａ，９ｂは、後面および左右いずれかの側面とつながっている。従って、左側の凹部９ａは、前側壁９１および右側壁９２を有し、右側の凹部９ｂは、前側壁９１および左側壁９３を有する。
【００１３】
図２に示すように、包装用容器１が積み上げられた状態では、上の本体２の後脚５ａ，５ｂは、それぞれ、下の蓋３の凹部９ａ，９ｂと係合する。また、上の本体２の前脚４は、下の蓋３のコーナー８の前方へ嵌まる。よって、積み上げられた容器１は、上の容器１
が下の容器１に対して前方および左右両側方へずれようとしたときには、凹部９ａ，９ｂと後脚５ａ，５ｂとが係合していることによりそのずれが阻止される。また、後方へずれようとしたときにはコーナー８と前脚４とが係合していることによりそのずれが阻止される。
【００１４】
ところが、包装用容器１は、蓋３の前面７と上面６とがコーナー８でつながっているため、積み上げられたとき、前面７を通して収容された内容物が見えにくくなるという欠点がある。
［先行例２］
図３および図４は、先行例２を示す斜視図および積み上げられた状態の右側面図である。先行例２では、包装用容器１の蓋３において、前面７と上面６との境界にコーナーが存在せず、前面７から上面６に向かって、斜め上方に凸湾曲した湾曲面１０が形成されている。その他の構成は、先行例１と同様である。
【００１５】
このため、先行例２では、図４に示すように、包装用容器１を積み上げたとき、湾曲面１０を通して収容物が見易いという利点がある。
ところが、湾曲面１０には、先行例１のコーナー８のように、前脚４が係合する部分がない。このため、上の容器が後方へずれようとしたとき、湾曲面１０に前脚４が引っ掛からず、上の容器が後方へずれるのを阻止することができない。
【００１６】
従って、先行例２では、容器を積み上げたとき、容器が後ろ側にずれやすいという欠点がある。
［先行例３］
図５は、先行例３の斜視図である。図５に示す先行例３は、図３および４に示す先行例２と比較すると、凹部９ａ，９ｂの形状が異なっている。すなわち、凹部９ａ，９ｂは、その右左側壁９２，９３が後方に向かって互いに離れる方向に斜めに延びている。よって、凹部９ａ，９ｂは、前方内側が鋭角に形成されている。それゆえ、容器を積み上げたとき、上の容器が後方にずれようとした場合、斜めの側壁９２，９３が上の容器が後方にずれるのを阻止する役割をする。
【００１７】
このように、先行例３では、凹部９ａ，９ｂの形状を工夫したことにより、積み上げられた容器が後方にもずれにくくなっている。しかし、シート成形でかかる形状を成形することは困難であり、たとえ成形できても、容器の強度が不十分であり、強度を増そうとすると、見栄え良く成形できないという欠点があった。
この発明は、以上のような先行例の欠点を克服するために創作されたものであり、具体的な実施形態は、次の通りである。
［実施形態１］
図６は、この発明の第１実施形態に係る包装用容器２０の斜視図である。包装用容器２０は、本体２１および蓋２２を有する。
【００１８】
本体２１は、その上縁に沿って開口２６が形成され、平面視が略矩形をした舟形もしくは皿形の容器であり、樹脂シートを用いてシート成形により形成されている。本体２１は、その底面２３の前辺に沿って、底面２３が下方に膨出されて形成された横に長手の前脚２４を有する。また、底面２３の後方左右両側角がそれぞれ下方に膨出されて後脚２５ａ，２５ｂが形成されている。
【００１９】
蓋２２も、本体２１と同様、樹脂シートによりシート成形されたものであり、本体２１の平面視に合わせて、平面視が略長方形状をしている。
蓋２２は、その前面側に、凸湾曲面２７が形成されている。すなわち、蓋２２は、左右方向に延びる前縁２８から後方に向かって斜め上方へ立ち上がった前面２９と、前面２９
と滑らかにつながった凸湾曲面２７と、凸湾曲面２７の後方につながり水平に延びる上面３０とが継ぎ目なくつながっている。また、左側面３１、右側面３２および後面３３を有している。
【００２０】
そして、上面３０の後方左右両側角に、平面視が略矩形の凹部３４ａ，３４ｂが形成されている。左側の凹部３４ａは、底面３５と前側壁３６と右側壁３７とを有している。そして、底面３５には、後方に向かって内側から外側へ斜めに延びる凸条（リブ）３８ａが形成されている。凸条３８ａの内側先端は前側壁３６および右側壁３７の境界とつながっている。
【００２１】
右側の凹部３４ｂも、ほぼ同様に、底面３５と、前側壁３６と、左側壁４１とを有し、底面３５には後方に向かって内側から外側へ斜めに延びる凸条（リブ）３８ｂが形成されている。凸条３８ｂの前方内側先端は、前側壁３６および左側壁４１の境界とつながっている。
このように、蓋２２には、その上面３０の後方沿いの左右両角部に、それぞれ、凹部３４ａ，３４ｂが形成されている。そして、凹部３４ａ，３４ｂの底面３５には、それぞれ、凹部の深さに収まる高さで、幅２〜６ｍｍの凸条３８ａ，３８ｂが形成されている。凸条３８ａ，３８ｂは、後方に向かって内側から外側に広がるように、前後方向に対して片側４５°±１０°の角度で延びる凸条となっており、左右対称に形成されている。
【００２２】
本体２１の後脚２５ａ，３５ｂは、上記凹部３４ａ，３４ｂに嵌まり込むことができるように、平面視が略矩形で、その下面には、幅２．５〜６．５ｍｍの凹溝４４ａ，４４ｂ（本体２１の内側から見ると、凸条（リブ）となっている。）が、後方に向かって内側から外側に広がるように、片側４５°±１０°の角度で延びるように形成されている。
よって、包装用容器２０を積み上げた際、上の容器の後脚２５ａ，２５ｂが下方の容器の凹部３４ａ，３４ｂと係合し、その際、凸条３８ａ，３８ｂと凹溝４４ａ，４４ｂとが係合する。従って、凸条３８ａ，３８ｂと凹溝４４ａ，４４ｂとの係合は、上の容器が後方へずれるのを阻止する。また、前壁３６および左右側壁４１，３７は、上の容器が前方および左右へずれるのを阻止する。
［実施形態２］
図７は、この発明の第２実施形態に係る包装用容器５０の斜視図である。図７に示す実施形態は、図６に示す実施形態と比べて、凹部３４ａ，３４ｂの形状および後脚２５ａ，２５ｂの形状が異なっている。
【００２３】
すなわち、図７の実施形態では、蓋２２の後方左右両側の角部に、角を三角形状に落とした状態の凹部３４ａ，３４ｂが形成されている。凹部３４ａ，３４ｂは、三角形状の底面５１および前後方向に対して斜めの側壁５２を備えている。そして底面５１には、図６で説明したのと同等の凸条３８ａ，３８ｂが形成されている。
また、本体２１には、後脚２５ａ，２５ｂが形成されていて、後脚２５ａ，２５ｂの形状は、上述した凹部３４ａ，３４ｂの形状に対応して平面視が三角形状とされ、その底面には、斜めの凹溝４４ａ，４４ｂが形成されている。従って、包装用容器５０を積み上げた際に、斜めの側壁５２によって前方および左右側方へのずれが防止され、かつ、後方へのずれは、凸条３８ａ，３８ｂと凹溝４４ａ，４４ｂとの嵌合により防止される。
【００２４】
以上説明したこの発明の各実施形態によれば、包装用容器２０，５０を積み上げた際に、包装用容器２０，５０が前後および左右にずれにくく、しかも、収容された内容物を凸湾曲面２７を通して視認し易い。
上述の各実施形態では、本体２１の底面２３は水平な平面として説明したが、底面２３は前方から後方に向かって斜め上方に傾斜した傾斜面であってもよい。また、その傾斜面に階段状に段部が付けられ、全体として傾いた底面であってもよい。かかる傾斜底面とし
た場合、凸湾曲面２７を通して内容物がさらに視認し易くなるという利点がある。
【００２５】
さらに、底面２３の前方側には前脚２４を設けた例を説明したが、前脚２４は省略されていてもよい。
また、上述の各実施形態では、本体２１と蓋２２とが別体としたが、本体２１と蓋２２とが一体になった容器、たとえば本体２２の後部上辺と蓋２２の後部下辺とがつながった本体と蓋が一体になった容器にも、この発明は適用できる。
【００２６】
また、この発明は、平面視が略矩形ではなく、前辺２８が前方へ膨らんだ、図８（ａ）（ｂ）に示す平面視形状のもの、図８（ｃ）に示す前辺２８が多角形状をしたもの、および図８（ｄ）に示す後辺３３が膨らんだもの等でもよく、平面視形状は特に限定されない。
この発明は、以上説明した実施形態に限定されるものではなく、請求項記載の範囲内において種々の変更が可能である。
【図面の簡単な説明】
【００２７】
【図１】先行例１に係る包装用容器の斜視図である。
【図２】先行例１に係る包装用容器の積み上げ状態を示す右側面図である。
【図３】先行例２に係る包装用容器の斜視図である。
【図４】先行例２に係る包装用容器の積み上げ状態を示す右側面図である。
【図５】先行例３に係る包装用容器の斜視図である。
【図６】この発明の第１実施形態に係る包装用容器の斜視図である。
【図７】この発明の第２実施形態に係る包装用容器の斜視図である。
【図８】この発明に係る包装用容器の平面視形状の変形例を示す図である。
【符号の説明】
【００２８】
２０，５０    包装用容器
２１    本体
２２    蓋
２３    底面
２５ａ，２５ｂ    後脚
２６    開口
２７    凸湾曲面
３４ａ，３４ｂ    凹部
３８ａ，３８ｂ    斜めの凸条（リブ）
４４ａ，４４ｂ    凹溝
【図１】
2007039035.tif 000003
【図２】
2007039035.tif 000004
【図３】
2007039035.tif 000005
【図４】
2007039035.tif 000006
【図５】
2007039035.tif 000007
【図６】
2007039035.tif 000008
【図７】
2007039035.tif 000009
【図８】
2007039035.tif 000010